(57)【要約】【課題】発熱部品を強制冷却して他の部品への熱の影響を低減できるようにしたスロットマシンを提供する。【解決手段】筐体３内に回転可能に配設された各リール４７Ｌ，４７Ｍ，４７Ｒそれぞれの梁４９をフィン状に形成し、各リール４７Ｌ，４７Ｍ，４７Ｒが駆動モータ５５によって回転されることにより、フィン状の梁４９により風を発生し、その風を通風ダクト５７により電源装置５３に導き、電源装置５３を強制冷却する。これにより、他の部品への電源装置５３の熱の影響を低減でき、しかも電源装置５３の配置の自由度を広げることができて筐体３内部のスペースの有効利用を図ることができる。【選択図】        図２
2004267666.tif 000002
【特許請求の範囲】
【請求項１】
それぞれ周面に複数の図柄が描かれ、スロットマシンの筐体内に回転可能に配設された複数個のリールと、これら各リールそれぞれを駆動する駆動用モータとを備えたスロットマシンにおいて、
前記筐体内に設けられ前記リールの回転に伴って風を発生する送風手段と、
前記送風手段により発生される風を前記筐体内の発熱部品に導く導風手段と
を備えていることを特徴とするスロットマシン。
【請求項２】
前記送風手段が、少なくとも１個の前記リールに形成されたフィンから成ることを特徴とする請求項１に記載のスロットマシン。
【請求項３】
前記各リールそれぞれが、放射状に延びる複数の梁と、これらの梁の先端に固着された短い円筒体とにより形成され、
前記フィンが、少なくとも１個の前記リールの前記梁に形成されている
ことを特徴とする請求項２に記載のスロットマシン。
【請求項４】
前記各リールそれぞれが、放射状に延びる複数の梁と、これらの梁の先端に固着された短い円筒体とにより形成され、
前記フィンが、少なくとも１個の前記リールの前記円筒体の周縁に形成されている
ことを特徴とする請求項２に記載のスロットマシン。
【請求項５】
前記導風手段が、前記各リール近辺から前記発熱部品までの通風路を形成する通風ダクトであることを特徴とする請求項１ないし４のいずれかに記載のスロットマシン。
【請求項６】
前記筐体に固定され前記各リールを回転自在に支持する支持手段を備え、前記導風手段が前記支持手段に取り付けられていることを特徴とする請求項１ないし５のいずれかに記載のスロットマシン。
【請求項７】
前記発熱部品が、マシン各部に電源供給するための電源装置であることを特徴とする請求項１ないし６のいずれかに記載のスロットマシン。
【発明の詳細な説明】
【０００１】
【発明の属する技術分野】
この発明は、それぞれ周面に複数の図柄が描かれ、スロットマシンの筐体内に回転可能に配設された複数個のリールと、これら各リールそれぞれを駆動する駆動用モータとを備えたスロットマシンに関する。
【０００２】
【従来の技術】
一般に、スロットマシンでは、図７に示すように、前面が開口した箱状の筐体１０１に、その前面全体を覆う大きさの前面パネルの一側がヒンジにより回転自在に支持され、この前面パネル正面上半部には透明板により塞がれた窓が形成され、それぞれ周面に複数の図柄が描かれた左、中、右の３個の円筒状のリール１０３Ｌ，１０３Ｍ，１０３Ｒが前面パネルのリール窓の後側に回転自在に支持され、各リール１０３Ｌ，１０３Ｍ，１０３Ｒそれぞれの図柄のうち３個の図柄が窓越しに見えるように配設されている。
【０００３】
尚、各リール１０３Ｌ，１０３Ｍ，１０３Ｒは、放射状に延びる複数の梁１０５と、これらの梁の先端に固着された短い円筒体１０７とにより構成されて樹脂成型により形成され、駆動モータ１０９により回転駆動されるようになっており、支持部材１１１により各リール１０３Ｌ，１０３Ｍ，１０３Ｒが連結されるようにして筐体１０１内部に固定されている。
【０００４】
近年、このようなスロットマシンにおいて、送風手段を筐体内に配設し、この送風手段により発生する風の温度を高、低に調節して風噴出口から遊技者に向けて吹出し、従来の音や発光器の点滅による聴覚的、視覚的な演出とは異なる触覚的演出を行うものがある（特許文献１参照）。
【０００５】
【特許文献１】
特開２００２−３６０７７９号公報（段落［０００７］、［００２２］、図２）
【０００６】
【発明が解決しようとする課題】
ところで、スロットマシンの筐体内部には様々な発熱部品が収容されているが、これら発熱部品の発する熱が他に影響しないように、従来、発熱部品は他の部品から離れた位置に配設されることが多い。特に、図７に示すように、発熱部品がトランス等から成る電源装置１１３である場合、発熱量が多く高温になることから、電源装置１１３と他の部品との距離を大きくする必要があり、限られた大きさの筐体では、十分な距離をとることはできず、電源装置１１３の発する熱の影響を低減することはできず、部品・部材の熱変形や誤前記動作の原因となるおそれがあった。
【０００７】
一方、上記した特許文献１に記載のような送風手段を利用して発熱部品を冷却することも考えられるが、この送風手段はあくまでも演出用に使用するものであって発熱部品の冷却に使用されるではなく、そもそもスロットマシンの発熱部品の冷却は行われていなかった。
【０００８】
そこで、本発明は、発熱部品を強制冷却して他の部品への熱の影響を低減できるようにすることを目的とする。
【０００９】
【課題を解決するための手段】
上記した目的を達成するために、本発明は、それぞれ周面に複数の図柄が描かれ、スロットマシンの筐体内に回転可能に配設された複数個のリールと、これら各リールそれぞれを駆動する駆動用モータとを備えたスロットマシンにおいて、前記筐体内に設けられ前記リールの回転に伴って風を発生する送風手段と、前記送風手段により発生される風を前記筐体内の発熱部品に導く導風手段とを備えていることを特徴としている（請求項１）。
【００１０】
このような構成によれば、筐体内において、リールの回転に伴って送風手段により発生される風を、導風手段により発熱部品に導くため、モータ等から成る冷却手段を別途設ける必要がなく、既存のリールを利用して送風することができ、簡単な構成により発熱部品を強制的に冷却することができ、他の部品への発熱部品の熱の影響を低減することができる。しかも、リールが比較的大口径であることから、このリールの回転を利用して送風すると、筐体内部全体にわたって対流する風を発生することができ、高い冷却効果を得ることができる。
【００１１】
また、本発明は、前記送風手段が、少なくとも１個の前記リールに形成されたフィンから成ることを特徴としている（請求項２）。このような構成によれば、リールの回転に伴い、フィンにより効率よく風を発生することができる。このとき、フィンがリールの回転時に大きな抵抗となると、リールを回転するための駆動トルクを大きくしなければならないため、駆動トルクの増大を招かない程度にフィンの大きさや形状を設計するのが好ましい。
【００１２】
このとき、請求項３に記載のように、前記各リールそれぞれが、放射状に延びる複数の梁と、これらの梁の先端に固着された短い円筒体とにより形成され、前記フィンが、少なくとも１個の前記リールの前記梁に形成されているのが望ましい。また、請求項４に記載のように、前記フィンが、少なくとも１個の前記リールの前記円筒体の周縁に形成されていても構わない。
【００１３】
このようにすれば、フィンがリールの回転の妨げとなることはなく、リールの回転により効率よく風を発生することができる。
【００１４】
また、本発明は、前記導風手段が、前記各リール近辺から前記発熱部品までの通風路を形成する通風ダクトであることを特徴としている（請求項５）。このような構成によれば、筐体内において、通風ダクトにより送風手段による風を発熱部品まで導くことができ、発熱部品を効果的に冷却することができる。
【００１５】
また、本発明は、前記筐体に固定され前記各リールを回転自在に支持する支持手段を備え、前記導風手段が前記支持手段に取り付けられていることを特徴としている（請求項６）。このような構成によれば、各リールを回転自在に支持する支持手段に導風手段を取り付けるため、筐体内において送風手段による風を発熱部品まで導くことができる。
【００１６】
また、本発明は、前記発熱部品が、マシン各部に電源供給するための電源装置であることを特徴としている（請求項７）。このような構成によれば、例えばトランスから成る電源装置の発生する熱が他の部品に及ぼす影響を低減することができ、電源装置を配置の自由度を広げることができて筐体内部のスペースの有効利用を図ることができる。
【００１７】
【発明の実施の形態】
この発明を遊技機であるスロットマシンに適用した場合における一実施形態について図１ないし図６を参照して説明する。但し、図１はスロットマシンの正面図、図２は筐体内部の一部を示す正面図、図３は筐体内部の一部を示す左側面図、図４及び図５はそれぞれリール付近の平面図及び右側面図、図６は図５の矢視断面図である。
【００１８】
本実施形態におけるスロットマシンは、例えば図１に示すように構成されている。即ち、図１に示すように、スロットマシン１では、筐体３の前面開口が前面パネル５により開閉自在に閉塞され、この前面パネル５のほぼ中央高さの位置に操作板７が配設されると共に、この操作板７の上方に正面板９が配設されている。このとき、前面パネル５の左端部がヒンジにより筐体３に回転自在に支持されて、筐体３の前面全体が前面パネル５により覆われて閉塞される。
【００１９】
そして、この正面板９には３個のリール窓１１が並設され、各リール窓１１の内側には左、中、右の各回転リールが配置され、右端のリール窓１１の横には、ゲームの演出用画面を表示する液晶ディスプレイ１３が配設されており、各リール窓１１からは、各リールの図柄が各々３個ずつ見えるように設定されている。
【００２０】
更に、この操作板７には、クレジットされているメダルの枚数を減じてメダル投入に代えるためのベットスイッチ１５、各リールの回転を開始させるためのスタートレバー１７、第１ないし第３ストップスイッチ１９，２１，２３、及び、メダル投入口２５や貯留メダルを払い出すための精算スイッチ２７が設けられている。また、正面板９には入賞ラインが描かれると共に、入賞ライン中の有効ラインを表示する有効表示ランプ３１、ボーナスゲームの状態などを表示する種々の演出表示ランプ３３、クレジットメダルの枚数を表示するメダル枚数表示器３５が正面板９に配設され、操作板７の下方にはメダル払出口３７やメダル受け３９が設けられている。
【００２１】
ところで、図２及び図３に示すように、前面パネル５のリール窓１１の裏面側にはリール駆動装置４３が配設されており、このリール駆動装置４３は次のように構成されている。即ち、図２，３に示すように、支持手段であるリールスタンド４５が枠体により連結されてリール窓１１の裏面側に配設され、左、中、右の各リール４７Ｌ，４７Ｍ，４７Ｒがそれぞれリールスタンド４５に回転自在に支持されている。
【００２２】
ここで、各リール４７Ｌ，４７Ｍ，４７Ｒはそれぞれ、円板４８の周縁から放射状に延びる複数の梁４９と、これらの梁４９の先端に固着された短い円筒体５１とにより構成され、樹脂成型により形成される。尚、図２及び図３において、５３はトランス等から成る発熱部品としての電源装置であり、筐体３内部の左下部に配設され、図示しない電源ケーブルによりマシン各部に接続されて各部への電源供給を行う。
【００２３】
そして、各リール４７Ｌ，４７Ｍ，４７Ｒの中心部が、リールスタンド４５に取り付けられたステッピングモータから成る３個の駆動モータ５５の回転軸にそれぞれ軸着され、各駆動モータ５５それぞれにより各リール４７Ｌ，４７Ｍ，４７Ｒが回転駆動されるようになっている。
【００２４】
更に、各リール４７Ｌ，４７Ｍ，４７Ｒそれぞれの梁４９は、送風手段であるフィンを兼ねて形成されており、リールスタンド４５の左側には、その下方に位置する電源装置５３までの通風路を形成する導風手段としての通風ダクト５７が取り付けられている。
【００２５】
即ち、フィンである梁４９はリールの回転面に対して平行ではなく、特に図５，６に示されるように、この回転面に平行な円板４８に対して、通風ダクト５７方向に風を発生するように少し傾斜して梁４９が形成され、その結果、梁４９がフィンとして機能するのである。
【００２６】
尚、フィン状の梁４９が各リール４７Ｌ，４７Ｍ，４７Ｒの回転時に大きな抵抗となると、各リール４７Ｌ，４７Ｍ，４７Ｒを回転するための駆動トルクを大きくしなければならないため、駆動トルクの増大を招かない程度にフィン状の梁４９の大きさや形状、傾き、数が設定されている。
【００２７】
また、リールスタンド４５は、図３，５に示すように、各駆動モータ５５をそれぞれ支持する３個の矩形の支持板４５ａと、これら各支持板４５ａを保持する枠体４５ｂとにより構成され、リールスタンド４５の各支持板４５ａの横には通風可能な空間５９が存在しており、この空間５９が通風ダクト５７に連通することで、各リール４７Ｌ，４７Ｍ，４７Ｒが図５中の矢印方向に回転するのに伴い、フィン状の梁４９により発生される風が通風ダクト５７を通って電源装置５３に導かれる。
【００２８】
このように、各リール４７Ｌ，４７Ｍ，４７Ｒそれぞれの梁４９をフィン状に形成することで、各リール４７Ｌ，４７Ｍ，４７Ｒが回転すると、フィン状の梁４９により風が発生され、その風が通風ダクト５７を通って電源装置５３に導かれて電源装置５３が強制冷却される。
【００２９】
従って、上記した実施形態によれば、筐体３内において、各リール４７Ｌ，４７Ｍ，４７Ｒの回転に伴ってフィン状の梁４９により発生される風を、通風ダクト５７により電源装置５３に導くため、電源装置５３を強制的に冷却することができ、電源装置５３の発生する熱が他の部品に及ぼす影響を低減することができ、電源装置５３の配置の自由度を広げることができて筐体３内部のスペースの有効利用を図ることができる。
【００３０】
また、各リール４７Ｌ，４７Ｍ，４７Ｒそれぞれの梁４９をフィン状に形成したため、フィン状の梁４９が各リール４７Ｌ，４７Ｍ，４７Ｒの回転の妨げとなることはなく、各リール４７Ｌ，４７Ｍ，４７Ｒの回転により効率よく風を発生することができる。
【００３１】
なお、本発明は上記した実施形態に限定されるものではなく、その趣旨を逸脱しない限りにおいて上述したもの以外に種々の変更を行うことが可能である。
【００３２】
例えば、上記した実施形態では、各リール４７Ｌ，４７Ｍ，４７Ｒそれぞれの梁４９をフィン状に形成した場合について説明したが、少なくとも通風ダクト５７に近い左リール４７Ｌの梁４９のみをフィン状に形成してもよい。但し、この場合、回転に伴い左リール４７Ｌにフィン状の梁４９による抵抗が加わるため、回転時における他のリール４７Ｍ，４７Ｒとのバランスを考慮してフィン状の梁４９の大きさ、形状、傾き、数を設計する必要がある。
【００３３】
また、上記した実施形態では、梁４９をフィン状に形成した例を示したが、リールの回転面に平行な梁４９にフィンを一体的に形成してもよく、各リール４７Ｌ，４７Ｍ，４７Ｒのうち少なくとも１個のリール（望ましくは、通風ダクト５７に近い左リール４７Ｌ）の円筒体５１の周縁に沿ってフィンを形成しても構わない。
【００３４】
更に、各リール４７Ｌ，４７Ｍ，４７Ｒを回転駆動する駆動モータ５５の回転軸にフィンを取り付けてもよい。
【００３５】
また、上記した実施形態では、送風手段をフィンとして説明したが、特にフィンに限定されるものではなく、要するにリールの回転に伴って風を発生し得るものであればよい。
【００３６】
更に、上記した実施形態では、発熱部品を電源装置５３としたが、筐体３内に配設される照明ランプや、マシン制御用の回路基板上に実装される抵抗、駆動モータ５５等の発熱部品に対して、フィン等の送風手段による風を導いて強制冷却するようにしてもよいのは勿論である。
【００３７】
【発明の効果】
以上のように、請求項１に記載の発明によれば、筐体内において、リールの回転に伴って送風手段により発生される風を、導風手段により発熱部品に導くため、モータ等から成る冷却手段を別途設ける必要がなく、既存のリールを利用して送風することができ、簡単な構成により発熱部品を強制的に冷却することができ、他の部品への発熱部品の熱の影響を低減することが可能になる。
【００３８】
更に、リールが比較的大口径であることから、このリールの回転を利用して送風すると、筐体内部全体にわたって対流する風を発生することができ、高い冷却効果を得ることが可能になる。
【００３９】
また、請求項２に記載の発明によれば、リールの回転に伴い、フィンにより効率よく風を発生することが可能になる。
【００４０】
また、請求項３，４に記載の発明によれば、フィンがリールの回転の妨げとなることはなく、リールの回転ににより効率よく風を発生することが可能になる。
【００４１】
また、請求項５に記載の発明によれば、筐体内において、送風手段による風を発熱部品まで導くことができ、発熱部品を効果的に冷却することが可能になる。
【００４２】
また、請求項６に記載の発明によれば、各リールを回転自在に支持する支持手段に導風手段を取り付けるため、筐体内において送風手段による風を発熱部品まで導くことが可能になる。
【００４３】
また、請求項７に記載の発明によれば、例えばトランスから成る電源装置の発生する熱が他の部品に及ぼす影響を低減することができ、電源装置の配置の自由度を広げることができて筐体内部のスペースの有効利用を図ることが可能になる。
【図面の簡単な説明】
【図１】この発明の一実施形態におけるスロットマシンの正面図である。
【図２】この発明の一実施形態におけるスロットマシンの筐体内部の一部を示す正面図である。
【図３】この発明の一実施形態におけるスロットマシンの筐体内部の一部を示す左側面図である。
【図４】この発明の一実施形態におけるスロットマシンのリール付近の平面図である。
【図５】この発明の一実施形態におけるスロットマシンのリール付近の右側面図である。
【図６】図５の矢視断面図である。
【図７】従来のスロットマシンにおける筐体内部の一部を示す正面図である。
【符号の説明】
１    スロットマシン
３    筐体
４７Ｌ，４７Ｍ，４７Ｒ  左、中、右リール
４９  フィン状の梁（送風手段）
５１  円筒体
５３  電源装置（発熱部品）
５５  駆動モータ
５７  通風ダクト（導風手段）
【図１】
2004267666.tif 000003
【図２】
2004267666.tif 000004
【図３】
2004267666.tif 000005
【図４】
2004267666.tif 000006
【図５】
2004267666.tif 000007
【図６】
2004267666.tif 000008
【図７】
2004267666.tif 000009